(57)【要約】【課題】作業内容に必要な能力に基づいて決定された作業環境を構築することで、作業効率を維持・向上させることができる、作業環境制御システム等を提供すること。【解決手段】作業室内における作業者の作業内容を特定するための作業内容情報と、作業内容を実行するための能力を特定するための能力特定情報とを格納する作業内容別能力テーブル８５ｂと、能力特定情報と、能力を発揮するための環境情報とを格納する能力別環境テーブル８５ｃと、作業内容情報に対応する能力特定情報を作業内容別能力テーブル８５ｂから取得する必要能力特定処理部８４ｂと、必要能力特定処理部８４ｂにて取得された能力特定情報に対応する環境情報を能力別環境テーブル８５ｃから取得する必要環境特定処理部８４ｃと、必要環境特定処理部８４ｃにて取得された環境情報に基づいて空調装置等７を制御することで、作業環境を制御する環境制御処理部８４ｅとを備える。【選択図】図２
2011102683.tif 000002
【特許請求の範囲】
【請求項１】
作業領域における作業者の作業内容を特定するための作業内容情報と、作業内容を実行するための能力を特定するための能力特定情報とを、相互に対応付けて格納する作業内容別能力格納手段と、
前記能力特定情報と、前記能力を発揮するための作業環境を特定するための環境情報とを、相互に対応付けて格納する能力別環境格納手段と、
前記作業内容情報が所定方法で取得された場合に、当該取得された作業内容情報に対応する前記能力特定情報を前記作業内容別能力格納手段から取得する必要能力特定手段と、
前記必要能力特定手段にて取得された能力特定情報に対応する環境情報を前記能力別環境格納手段から取得する必要環境特定手段と、
前記必要環境特定手段にて取得された環境情報に基づいて、前記作業領域に対応して設けた環境制御用機器を制御することにより、前記作業領域における作業環境を制御する環境制御手段と、
を備えたことを特徴とする作業環境制御装置。
【請求項２】
前記作業内容別能力格納手段は、各々の前記作業内容を特定するための作業内容情報に対応して、複数の能力を特定するための前記能力特定情報と、これら複数の能力の相互間の比率を特定するための比率情報とを、対応付けて格納し、
前記必要能力特定手段は、前記作業内容情報が所定方法で取得された場合に、当該取得された作業内容情報に対応する複数の能力特定情報と比率情報を前記作業内容別能力格納手段から取得し、
前記必要環境特定手段は、前記必要能力特定手段にて取得された複数の能力特定情報に対応する複数の環境情報を前記能力別環境格納手段から取得し、当該取得した複数の環境情報に対して、前記必要能力特定手段にて取得された比率情報に基づく重み付けを行うことにより、環境情報を修正し、
前記環境制御手段は、前記必要環境特定手段にて修正された環境情報に基づいて、前記作業環境を制御すること、
を特徴とする請求項１に記載の作業環境制御装置。
【請求項３】
作業者の作業継続時間を基準時間と比較することにより、又は作業者の生理情報を基準生理情報と比較することにより、作業者の作業内容又は作業環境の変更の要否を判定し、変更の必要があると判定した場合には、作業内容又は作業環境を変更するための所定の処理を行う作業変更手段を備えること、
を特徴とする請求項２に記載の作業環境制御装置。
【請求項４】
作業内容を実行するための能力を特定するための能力特定情報と、能力を継続的に発揮可能な基準時間を特定するための基準時間情報とを、相互に対応付けて格納する能力別基準時間格納手段を備え、
前記作業変更手段は、前記必要能力特定手段にて取得された複数の能力特定情報に対応する複数の基準時間情報を前記能力別基準時間格納手段から取得し、当該取得した複数の基準時間情報により特定される複数の基準時間に対して、前記必要能力特定手段にて取得された比率情報に基づく重み付けを行うことにより、基準時間を修正し、当該修正した基準時間を前記作業継続時間と比較することにより、作業者の作業内容又は作業環境の変更の要否を判定すること、
を特徴とする請求項３に記載の作業環境制御装置。
【請求項５】
作業内容を実行するための能力を特定するための能力特定情報と、能力を発揮可能な生理状態を特定するための基準生理情報とを、相互に対応付けて格納する能力別基準生理格納手段を備え、
前記作業変更手段は、前記必要能力特定手段にて取得された複数の能力特定情報に対応する複数の基準生理情報を前記能力別基準生理格納手段から取得し、当該取得した複数の基準生理情報に対して、前記必要能力特定手段にて取得された比率情報に基づく重み付けを行うことにより、基準生理情報を修正し、当該修正した基準生理情報を前記生理情報と比較することにより、作業者の作業内容又は作業環境の変更の要否を判定すること、
を特徴とする請求項３に記載の作業環境制御装置。
【請求項６】
作業者の作業内容の順序を特定するための作業順序情報を格納する作業順序情報格納手段を備え、
前記作業変更手段は、作業内容の変更が必要であると判定した場合には、前記作業順序情報格納手段に格納された作業順序情報を参照することにより、現在の作業内容に対する次順の作業内容を特定し、当該特定した次順の作業内容への作業内容変更を、作業者に対して所定の出力機器を介して出力すること、
を特徴とする請求項３から５のいずれか一項に記載の作業環境制御装置。
【請求項７】
前記必要能力特定手段は、前記作業変更手段によって次順の作業内容が特定された場合に、当該取得された作業内容に対応する前記能力特定情報を前記作業内容別能力格納手段から取得し、
前記必要環境特定手段は、前記必要能力特定手段にて取得された能力特定情報に対応する環境情報を前記能力別環境格納手段から取得し、
前記環境制御手段は、前記必要環境特定手段にて取得された環境情報に基づいて、前記作業領域に対応して設けた環境制御用機器を制御することにより、前記作業領域における作業環境を制御すること、
を特徴とする請求項６に記載の作業環境制御装置。
【請求項８】
作業領域における作業者の作業内容を特定するための作業内容情報と、作業内容を実行するための能力を特定するための能力特定情報とを、相互に対応付けて格納する作業内容別能力格納手段を準備する作業内容別能力格納ステップと、
前記能力特定情報と、前記能力を発揮するための作業環境を特定するための環境情報とを、相互に対応付けて格納する能力別環境格納手段を準備する能力別環境格納ステップと、
前記作業内容情報が所定方法で取得された場合に、当該取得された作業内容情報に対応する前記能力特定情報を前記作業内容別能力格納手段から取得する必要能力特定ステップと、
前記必要能力特定ステップにおいて取得された能力特定情報に対応する環境情報を前記能力別環境格納手段から取得する必要環境特定ステップと、
前記必要環境特定ステップにおいて取得された環境情報に基づいて、前記作業領域に対応して設けた環境制御用機器を制御することにより、前記作業領域における作業環境を制御する環境制御ステップと、
を含むことを特徴とする作業環境制御方法。
【請求項９】
コンピュータに実行させるプログラムであって、
前記コンピュータは、
作業領域における作業者の作業内容を特定するための作業内容情報と、作業内容を実行するための能力を特定するための能力特定情報とを、相互に対応付けて格納する作業内容別能力格納手段を準備する作業内容別能力格納手段と、
前記能力特定情報と、前記能力を発揮するための作業環境を特定するための環境情報とを、相互に対応付けて格納する能力別環境格納手段を準備する能力別環境格納手段とを備え、
前記コンピュータに、
前記作業内容情報が所定方法で取得された場合に、当該取得された作業内容情報に対応する前記能力特定情報を前記作業内容別能力格納手段から取得する必要能力特定ステップと、
前記必要能力特定ステップにおいて取得された能力特定情報に対応する環境情報を前記能力別環境格納手段から取得する必要環境特定ステップと、
前記必要環境特定ステップにおいて取得された環境情報に基づいて、前記作業領域に対応して設けた環境制御用機器を制御することにより、前記作業領域における作業環境を制御する環境制御ステップとを実行させること、
を特徴とする作業環境制御プログラム。
【発明の詳細な説明】
【技術分野】
【０００１】
この発明は、作業環境を制御するための作業環境制御装置、方法、及びプログラムに関する。
【背景技術】
【０００２】
近年、作業者の体温や心拍数等に関する生理情報に基づいて、当該作業者にとって快適な作業環境を制御しようとする作業環境制御システムを構築する試みがなされている。この作業環境制御システムの一例として、圧力センサ等の各種センサから取得された生理情報に基づいて作業者の作業量を制御するシステムが提案されている（例えば特許文献１参照）。この作業環境制御システムは、各種センサにて取得された生理情報の所定時間毎の分散、又は標準偏差を算出し、算出結果からストレス蓄積度や疲労度等の作業者の生理状態を判定することにより、この判定結果に基づいて当該作業者の生理状態に適した作業量を制御する。
【先行技術文献】
【特許文献】
【０００３】
【特許文献１】特開平０９−１４０６８８号公報
【発明の概要】
【発明が解決しようとする課題】
【０００４】
しかしながら、上記特許文献１に記載のシステムは、単に作業者の生理情報に基づいて作業量を制御するものに過ぎず、作業内容に必要な能力について考慮していなかった。従って、作業内容に必要な作業者の能力を発揮させる環境を構築できず、作業効率を維持・向上させることが困難であった。
【０００５】
本発明は、上述した問題点を解決するためになされたものであり、作業内容に必要な能力に基づいて決定された作業環境を構築することで、作業効率を維持・向上させることができる、作業環境制御装置、方法、及びプログラムを提供することを目的とする。
【課題を解決するための手段】
【０００６】
上述した課題を解決し、目的を達成するため、請求項１に係る作業環境制御装置は、作業領域における作業者の作業内容を特定するための作業内容情報と、作業内容を実行するための能力を特定するための能力特定情報とを、相互に対応付けて格納する作業内容別能力格納手段と、前記能力特定情報と、前記能力を発揮するための作業環境を特定するための環境情報とを、相互に対応付けて格納する能力別環境格納手段と、前記作業内容情報が所定方法で取得された場合に、当該取得された作業内容情報に対応する前記能力特定情報を前記作業内容別能力格納手段から取得する必要能力特定手段と、前記必要能力特定手段にて取得された能力特定情報に対応する環境情報を前記能力別環境格納手段から取得する必要環境特定手段と、前記必要環境特定手段にて取得された環境情報に基づいて、前記作業領域に対応して設けた環境制御用機器を制御することにより、前記作業領域における作業環境を制御する環境制御手段とを備えたことを特徴とする。
【０００７】
また、請求項２に係る作業環境制御装置は、請求項１に記載の作業環境制御装置において、前記作業内容別能力格納手段は、各々の前記作業内容を特定するための作業内容情報に対応して、複数の能力を特定するための前記能力特定情報と、これら複数の能力の相互間の比率を特定するための比率情報とを、対応付けて格納し、前記必要能力特定手段は、前記作業内容情報が所定方法で取得された場合に、当該取得された作業内容情報に対応する複数の能力特定情報と比率情報を前記作業内容別能力格納手段から取得し、前記必要環境特定手段は、前記必要能力特定手段にて取得された複数の能力特定情報に対応する複数の環境情報を前記能力別環境格納手段から取得し、当該取得した複数の環境情報に対して、前記必要能力特定手段にて取得された比率情報に基づく重み付けを行うことにより、環境情報を修正し、前記環境制御手段は、前記必要環境特定手段にて修正された環境情報に基づいて、前記作業環境を制御することを特徴とする。
【０００８】
また、請求項３に係る作業環境制御装置は、請求項２に記載の作業環境制御装置において、作業者の作業継続時間を基準時間と比較することにより、又は作業者の生理情報を基準生理情報と比較することにより、作業者の作業内容又は作業環境の変更の要否を判定し、変更の必要があると判定した場合には、作業内容又は作業環境を変更するための所定の処理を行う作業変更手段を備えることを特徴とする。
【０００９】
また、請求項４に係る作業環境制御装置は、請求項３に記載の作業環境制御装置において、作業内容を実行するための能力を特定するための能力特定情報と、能力を継続的に発揮可能な基準時間を特定するための基準時間情報とを、相互に対応付けて格納する能力別基準時間格納手段を備え、前記作業変更手段は、前記必要能力特定手段にて取得された複数の能力特定情報に対応する複数の基準時間情報を前記能力別基準時間格納手段から取得し、当該取得した複数の基準時間情報により特定される複数の基準時間に対して、前記必要能力特定手段にて取得された比率情報に基づく重み付けを行うことにより、基準時間を修正し、当該修正した基準時間を前記作業継続時間と比較することにより、作業者の作業内容又は作業環境の変更の要否を判定することを特徴とする。
【００１０】
また、請求項５に係る作業環境制御装置は、請求項３に記載の作業環境制御装置において、作業内容を実行するための能力を特定するための能力特定情報と、能力を発揮可能な生理状態を特定するための基準生理情報とを、相互に対応付けて格納する能力別基準生理格納手段を備え、
前記作業変更手段は、前記必要能力特定手段にて取得された複数の能力特定情報に対応する複数の基準生理情報を前記能力別基準生理格納手段から取得し、当該取得した複数の基準生理情報に対して、前記必要能力特定手段にて取得された比率情報に基づく重み付けを行うことにより、基準生理情報を修正し、当該修正した基準生理情報を前記生理情報と比較することにより、作業者の作業内容又は作業環境の変更の要否を判定すること、
を特徴とする請求項３に記載の作業環境制御装置。
【００１１】
また、請求項６に係る作業環境制御装置は、請求項３から５のいずれか一項に記載の作業環境制御装置において、作業者の作業内容の順序を特定するための作業順序情報を格納する作業順序情報格納手段を備え、前記作業変更手段は、作業内容の変更が必要であると判定した場合には、前記作業順序情報格納手段に格納された作業順序情報を参照することにより、現在の作業内容に対する次順の作業内容を特定し、当該特定した次順の作業内容への作業内容変更を、作業者に対して所定の出力機器を介して出力することを特徴とする。
【００１２】
また、請求項７に係る作業環境制御装置は、請求項６に記載の作業環境制御装置において、前記必要能力特定手段は、前記作業変更手段によって次順の作業内容が特定された場合に、当該取得された作業内容に対応する前記能力特定情報を前記作業内容別能力格納手段から取得し、前記必要環境特定手段は、前記必要能力特定手段にて取得された能力特定情報に対応する環境情報を前記能力別環境格納手段から取得し、前記環境制御手段は、前記必要環境特定手段にて取得された環境情報に基づいて、前記作業領域に対応して設けた環境制御用機器を制御することにより、前記作業領域における作業環境を制御することを特徴とする。
【００１３】
また、請求項８に係る作業環境制御方法は、作業領域における作業者の作業内容を特定するための作業内容情報と、作業内容を実行するための能力を特定するための能力特定情報とを、相互に対応付けて格納する作業内容別能力格納手段を準備する作業内容別能力格納ステップと、前記能力特定情報と、前記能力を発揮するための作業環境を特定するための環境情報とを、相互に対応付けて格納する能力別環境格納手段を準備する能力別環境格納ステップと、前記作業内容情報が所定方法で取得された場合に、当該取得された作業内容情報に対応する前記能力特定情報を前記作業内容別能力格納手段から取得する必要能力特定ステップと、前記必要能力特定ステップにおいて取得された能力特定情報に対応する環境情報を前記能力別環境格納手段から取得する必要環境特定ステップと、前記必要環境特定ステップにおいて取得された環境情報に基づいて、前記作業領域に対応して設けた環境制御用機器を制御することにより、前記作業領域における作業環境を制御する環境制御ステップとを含むことを特徴とする。
【００１４】
また、請求項９に係る作業環境制御プログラムは、請求項８に記載の方法をコンピュータに実行させることを特徴とする。
【発明の効果】
【００１５】
請求項１に記載の作業環境制御装置、請求項８に記載の作業環境制御方法、及び請求項９に記載の作業環境制御プログラムによれば、環境制御手段が、作業内容を実行するために必要な能力を発揮するための作業環境を特定する環境情報に基づいて、作業領域に対応して設けた環境制御用機器を制御することにより、作業領域における作業環境を制御するので、作業内容に必要な能力に基づいて決定された作業環境を構築することができ、作業効率を維持・向上させることができる。
【００１６】
請求項２に記載の作業環境制御装置によれば、環境制御手段が必要環境特定手段にて加重平均された修正後の環境情報に基づいて作業環境を制御するので、複数の能力を要する作業内容であっても、複数の能力に対応する複数の環境情報に基づく作業環境を構築することができる。
【００１７】
請求項３に記載の作業環境制御装置によれば、作業変更手段が作業者の作業内容又は作業環境の変更の必要があると判定した場合には、作業内容又は作業環境を変更する処理を行うので、作業環境を自動的に変動することができ、作業内容に必要な能力に基づいて決定された作業環境を継続的に維持できる。
【００１８】
請求項４に記載の作業環境制御装置によれば、作業変更手段が加重平均された基準時間と作業者の作業継続時間とを比較することにより、作業者の作業内容又は作業環境の変更の要否を判定するので、複数の能力を要する作業内容であっても、複数の能力を反映した基準時間に基づいて作業変更の要否を判定することができる。
【００１９】
請求項５に記載の作業環境制御装置によれば、作業変更手段が加重平均された基準生理情報と所定方法で取得された作業者の生理情報とを比較することにより、作業者の作業内容又は作業環境の変更の要否を判定するので、複数の能力を要する作業内容であっても、複数の能力を反映した基準生理情報に基づいて作業変更の要否を判定することができる。
【００２０】
請求項６に記載の作業環境制御装置によれば、作業変更手段が作業内容の変更が必要であると判定した場合に、作業順序情報格納手段に格納された作業順序情報から次順の作業内容を特定するので、作業者に対して最適な作業変更を自動的に指示することができる。
【００２１】
請求項７に記載の作業環境制御装置によれば、作業変更手段にて作業変更が実行された場合でも、環境制御手段が必要環境特定手段にて取得された次順の作業環境に基づいて、作業領域に対応して設けた環境制御用機器を制御することにより、作業領域における作業環境を制御するので、作業内容が変更した場合でも、作業内容に必要な能力に基づいて決定された作業環境を維持することができる。
【図面の簡単な説明】
【００２２】
【図１】本実施の形態に係る作業環境制御システムを適用した作業室の概要図である。
【図２】本実施の形態に係る作業環境制御システムの電気的構成を示したブロック図である。
【図３】能力テーブルの構成例を示す図である。
【図４】作業内容別能力テーブルの構成例を示す図である。
【図５】能力別環境テーブルの構成例を示す図である。
【図６】能力別基準時間テーブルの構成例を示す図である。
【図７】能力別基準生理テーブルの構成例を示す図である。
【図８】作業順序テーブルの構成例を示す図である。
【図９】本実施の形態に係る作業環境制御システムによる処理のフローチャートである。
【図１０】作業内容特定処理のフローチャートである。
【図１１】生理情報に基づく環境変更処理のフローチャートである。
【図１２】時間情報に基づく環境変更処理のフローチャートである。
【発明を実施するための形態】
【００２３】
以下に添付図面を参照して、この発明の本実施の形態を詳細に説明する。まず、〔I〕本実施の形態に共通の基本的概念を説明した後、〔II〕本実施の形態の具体的内容について説明し、〔III〕最後に、本実施の形態に対する変形例について説明する。ただし、これら本実施の形態によって本発明が限定されるものではない。
【００２４】
〔I〕本実施の形態に共通の基本的概念
まず、本実施の形態に共通の基本的概念について説明する。本実施の形態に係る作業環境制御装置、作業環境制御方法、及び作業環境制御プログラムは、作業者が作業している作業領域の環境を制御するものである。
【００２５】
本実施の形態に係る作業環境制御装置の設置対象は任意であり、例えば、オフィスビルや工場の如き建屋の内部空間や、電車や飛行機の如き乗り物の内部空間、あるいは、屋外空間を含む。以下の実施の形態においては、作業環境制御装置がオフィスビルに設置されている場合を例に挙げて説明する。
【００２６】
本実施の形態に係る作業環境制御装置の特徴の一つは、概略的に、環境制御手段が、作業内容を実行するために必要な能力を発揮するための作業環境を特定する環境情報に基づいて、作業領域に対応して設けた環境制御用機器を制御する点にある。これにより、作業内容に必要な能力に基づいて決定された作業環境を構築することができ、作業効率を維持・向上させることができる。
【００２７】
ここで、作業とは、知的作業、肉体作業、あるいはこれらの複合的作業を含むものであり、仕事として行う作業（すなわち業務）の他、仕事以外として行う作業（例えば、趣味で行う作業）を含む。また、能力とは、各作業を行うために必要であると考えられる力であり、ここでは、各作業に対応する１又は複数の能力が予め特定されている。また、環境としては、上記環境制御機器の構成に応じて、様々な種類の環境を制御することができるが、以下では、「照度」及び「温度」を制御する例について説明する。ただし、この他にも、「湿度」、「背景音の種類や音量」、「空調の気流や風速」、「放射温度」、「香り」等を制御してもよい。
【００２８】
〔II〕本実施の形態の具体的内容
次に、本実施の形態の具体的内容について説明する。
【００２９】
まず、本実施の形態に係る作業環境制御システムの全体構成、及び当該作業環境制御システムによる処理の概略を説明する。
【００３０】
（構成）
図１は本実施の形態に係る作業環境制御システムを適用した作業室の概要図である。図２は、本実施の形態に係る作業環境制御システムの電気的構成を示したブロック図である。作業環境制御システム１は、センサ２、受信機３、スピーカ４、端末装置５、照明装置６、空調装置７、及びサーバ８を備えて構成されている。
【００３１】
（構成−センサ）
センサ２は、作業者の生理情報を取得し、当該取得した生理情報を有線又は無線にて受信機３へ出力するための生理情報取得手段である。例えば、このセンサ２は、作業者の身体の一部に取り付けられ、作業者の手元に所持され、又は壁面又は天井面等に設置されており、常時又は一定のタイミングで作業者の生理情報を取得し、取得した生理情報を出力する。このセンサ２の種類は任意である。
【００３２】
（構成−受信機）
受信機３は、センサ２から出力された生理情報を取得し、取得した当該生理情報をサーバ８へ出力するための生理情報中継手段である。受信機３の配置は任意であり、例えば、作業室内の壁面や天井面に設置され、作業室の大きさや形状に応じて複数個設置される。
【００３３】
（構成−スピーカ）
スピーカ４は、作業者に対して音声で注意喚起し、あるいはガイド情報を出力するものである。スピーカ４の配置は任意であり、例えば、作業室内の壁面や天井面に設置され、作業室の大きさや形状に応じて複数個設置される。また、スピーカ４の注意喚起方法は任意であり、例えば、注意喚起する内容に応じて音声の種類や音量等を変えてもよい。
【００３４】
（構成−端末装置）
端末装置５は、サーバ８に対して所定の処理を指示するための指示手段である。例えば、端末装置５は、スピーカ４にて注意喚起された後に、作業者の指示に基づいてサーバ８に対して作業変更のタイミングを指示する。端末装置５の種類は任意であるが、例えば、公知のパーソナルコンピュータ、携帯電話、又は、ＰＤＡなどの情報処理装置が該当する。
【００３５】
（構成−照明装置）
照明装置６は、作業室内の照度を調整するためのものである。具体的には、照明装置６は、作業室内の壁面や天井面に設けられており、作業者の作業に対して当該作業者の能力が十分に発揮されるように、サーバ８からの制御に基づいて、当該作業室内の照度を調整する。照明装置６の具体的構成は任意であり、例えば、作業室内の照度を段階的に切り替えられる図示しない切替部を備える。また、照明装置６の種類は任意であるが、例えば、蛍光灯やＬＥＤランプ等が該当する。
【００３６】
（構成−空調装置）
空調装置７は、作業室内の温度、湿度、又は清浄度等の空調を調整するためのものである。具体的には、空調装置７は、作業室内の壁面や天井面に設けられており、作業者の作業に対して当該作業者の能力が十分に発揮されるように、サーバ８からの制御に基づいて、当該作業室内の空調を調整する。空調装置７の具体的構成は任意であり、例えば、作業室内の温度や湿度を段階的に切り替えられる図示しない切替部を備える。
【００３７】
（構成−サーバ）
サーバ８は、作業室の作業環境を制御するための作業環境制御装置であり、作業室内や作業室外の所定の場所に設けられている。このサーバ８は、機能概念的に、入出力インターフェース（以下、入出力ＩＦ）８１、入力部８２、出力部８３、制御部８４、及び記憶部８５を備えて構成されている。
【００３８】
入出力ＩＦ８１は、外部機器との間で有線又は無線により、センサ２にて取得された生理情報を受信機３を介して受信し、又はスピーカ４、照明装置６、及び空調装置７の動作情報を各々の機器へ送信する送信手段である。
【００３９】
入力部８２は、任意の情報を当該サーバ８に対して入力するための入力手段であり、例えば、マウス、キーボード、あるいはネットワーク端子を含んで構成されている。
【００４０】
出力部８３は、任意の情報を外部に向けて出力するための出力手段であり、例えば、モニタやネットワーク端子を含んで構成されている。
【００４１】
制御部８４は、サーバ８の各部を制御する制御手段であり、作業内容特定処理部８４ａ、必要能力特定処理部８４ｂ、必要環境特定処理部８４ｃ、環境制御処理部８４ｄ、及び環境変更処理部８４ｅを備えている。作業内容特定処理部８４ａは、作業室内の作業者の作業内容を特定するための作業内容特定処理手段である。必要能力特定処理部８４ｂは、所定の作業に対して必要な能力を特定するための必要能力特定処理手段である。必要環境特定処理部８４ｃは、所定の作業に対して作業者の能力を発揮するための環境を特定するための環境特定処理部である。環境制御処理部８４ｄは、作業室内に設けた照明装置６及び空調装置７を制御することにより、当該作業室内における作業環境を制御する環境制御手段である。環境変更処理部８４ｅは、作業内容又は作業環境を変更するための所定の処理を行う作業変更手段である。
【００４２】
なお、制御部８４の具体的な構成は任意であり、例えば、ＯＳ（Ｏｐｅｒａｔｉｎｇ  Ｓｙｓｔｅｍ）などの制御プログラム、各種の処理手順などを規定した組み込みプログラム、所要データを格納するための内部メモリ、及び、これらのプログラムを実行するＣＰＵ（Ｃｅｎｔｒａｌ  Ｐｒｏｃｅｓｓｉｎｇ  Ｕｎｉｔ）を備えて構成される。
【００４３】
記憶部８５は、制御部８４によって実行される各種処理に必要なデータを記録する記録手段である。具体的には、記憶部８５は、能力テーブル８５ａ、作業内容別能力テーブル８５ｂ、能力別環境テーブル８５ｃ、能力別基準時間テーブル８５ｄ、能力別基準生理テーブル８５ｅ、及び作業順序テーブル８５ｆを記録している。
【００４４】
次に、記憶部８５に記録される各テーブルの内容とその構造について説明する。図３は能力テーブル８５ａの構成例を示す図である。能力テーブル８５ａは、作業者の能力特定情報を管理するテーブルであり、例えば「能力番号」及び「能力特定情報」の項目と、各項目に対応する情報を対応付けて構成されている。ここで、項目「能力番号」に対応する情報は、能力特定情報を一意に識別する番号である（後述する図４〜７の項目「能力番号」に対応する情報も同様であるため、図４〜７の説明箇所においては重複説明を省略する）。また、項目「能力特定情報」に対応する情報は、作業内容を実行するための能力を特定するための能力特定情報であり、例えば、口頭理解、書面理解、及び記憶等が該当する。この能力特定情報の具体的な内容や分類については任意に変更可能であり、例えば、能力が多岐に分類されている場合には、共通性を有する１又は複数の能力をグルーピングし、各グループに対して一意の能力番号を対応付けてもよい。
【００４５】
また、図４は作業内容別能力テーブル８５ｂの構成例を示す図である。作業内容別能力テーブル８５ｂは、作業内容に対応する能力の重み付け情報を管理する作業内容別能力格納手段であり、例えば「作業内容情報」、「能力番号」、及び「比率情報」の項目と、各項目に対応する情報を対応付けて構成されている。項目「作業内容情報」に対応する情報は、作業内容に関する情報であり、例えば、設計作業、事務作業、及び会議等が該当する。項目「比率情報」に対応する情報は、複数の能力特定情報の相互間の比率を特定するための比率情報である。図４の例では、作業Ｘに対応する比率情報は、能力番号１（口頭理解）＝５０％、能力番号３（アイデア創出）＝４０％、及び能力番号４（記憶）＝１０％として記録されている。
【００４６】
また、図５は能力別環境テーブル８５ｃの構成例を示す図である。能力別環境テーブル８５ｃは、能力特定情報に対応する環境情報を管理する能力別環境格納手段であり、例えば「能力番号」及び「環境情報」の項目と、各項目に対応する情報を対応付けて構成されている。項目「環境情報」に対応する情報は、作業者の能力を発揮するための作業環境を特定するための環境情報である。図５の例では、能力番号１（口頭理解）に対応する環境情報として、温度＝２２℃、照度＝８００Ｌｘとして記録されている。
【００４７】
また、図６は能力別基準時間テーブル８５ｄの構成例を示す図である。能力別基準時間テーブル８５ｄは、能力特定情報に対応する基準時間を管理する能力別基準時間格納手段であり、例えば「能力番号」及び「基準時間情報」の項目と、各項目に対応する情報を対応付けて構成されている。項目「基準時間情報」に対応する情報は、作業者の能力を継続的に発揮可能な基準時間を特定するための基準時間情報である。図６の例では、能力番号１（口頭理解）＝１．０時間、能力番号２（書面理解）＝１．５時間等として記録されている。
【００４８】
また、図７は能力別基準生理テーブル８５ｅの構成例を示す図である。能力別基準生理テーブル８５ｅは、能力特定情報に対応する基準生理情報を管理する能力別基準生理格納手段であり、例えば「能力番号」及び「基準生理情報」の項目と、各項目に対応する情報を対応付けて構成されている。項目「基準生理情報」に対応する情報は、作業者の能力を発揮可能な生理状態を特定するための基準生理情報である。図７の例では、能力番号１（口頭理解）の場合には、体温＝３６．１℃、及び心拍数＝６７回／分として記録されている。
【００４９】
また、図８は作業順序テーブル８５ｆの構成例を示す図である。作業順序テーブル８５ｆは、作業内容情報に対応する作業順序情報を管理する作業順序情報格納手段であり、例えば「作業内容情報」及び「作業順序情報」の項目と、各項目に対応する情報を対応付けて構成されている。項目「作業順序情報」に対応する情報は、作業者の作業内容情報の優先度を特定するための作業順序情報であり、例えば、作業Ｘの優先度は３番目と記録されている。作業順序情報の優先度の決定方法は任意であり、例えば、午前中に効率的に発揮される能力と、午後に効率的に発揮される能力とを実験等にて特定し、午前中に効率的に発揮される能力の比率が高い作業の優先度を、午後に効率的に発揮される能力の比率が高い作業の優先度より高く設定することができる。
【００５０】
なお、記憶部８５の具体的な構成は任意であり、例えばＨＤ（Ｈａｒｄ  Ｄｉｓｋ）の如き書き換え可能な記録手段を用いて構成することができる。
【００５１】
（処理）
次に、作業環境制御システム１の制御部８４が実行する処理について説明する。図９は作業環境制御システム１による全体処理のフローチャートである。なお、特記しない制御に関しては、サーバ８の制御部８４が行うこととする。
【００５２】
まず、作業環境制御システム１による処理は、作業者が作業室内に入室後に自動的に開始される。入室後、作業内容特定処理部８４ａは、作業室内の作業者の作業内容を特定する作業内容特定処理を行う（ＳＡ１）。
【００５３】
ここで、作業内容特定処理部８４ａが実行する作業内容特定処理について説明する。図１０は、作業内容特定処理のフローチャートである。作業内容特定処理部８４ａは、センサ２にて取得された信号を受信機３を介して受信し、受信した当該信号に基づいて作業者が入室したか否かを判定する（ＳＢ１）。例えば、作業者がセンサ２を所持していた場合、作業内容特定処理部８４ａは、受信機３から信号を受信できるため、作業者が入室したと判定する。作業者が入室していないと判定された場合には（ＳＢ１、Ｎｏ）、ステップＳＢ１の直前に戻る。
【００５４】
一方、所定の作業者であると判定された場合には（ＳＢ１、Ｙｅｓ）、作業内容特定処理部８４ａは、所定の方法で作業内容情報を特定する（ＳＢ２）。例えば、センサ２には、当該センサ２を装着した作業者を識別するための識別番号を予め記憶しておき、サーバ８の記憶部８５には、センサ２の識別番号と、各作業者が行う複数の作業内容及びこれら作業内容の相互間の作業順序を特定する図示しない作業工程テーブルを記録しておく。そして、作業内容特定処理部８４ａは、センサ２から取得した識別番号に基づいて作業工程テーブルを参照することで、入室した作業者の作業内容及び作業順序を特定する。あるいは、作業者が自己の複数の作業内容を端末装置５を介してサーバ８に入力するようにしてもよい。
【００５５】
ステップＳＢ２の処理後、作業内容特定処理部８４ａは、最初に行うべき作業内容を作業者に知らせるために、スピーカ４又は端末装置５にて、作業内容を知らせるガイド情報（例えば合成音声）を出力させて（ＳＢ３）、図９の処理に戻る。ただし、作業者が自ら作業内容を入力した場合のように、作業者が作業内容を把握している場合には、ＳＢ３の処理は省略してもよい。なお、作業者が作業室を退室したことで、作業内容特定処理部８４ａが受信機３から信号を受信することができない場合には、制御部８４は、作業者が退室したものとして、図９の処理を終了してもよい。
【００５６】
次いで、必要能力特定処理部８４ｂは、ステップＳＡ１にて特定された各々の作業内容情報に対応して必要な能力を特定する必要能力特定処理を行う（ＳＡ２）。例えば、特定された作業内容情報＝作業Ｘである場合、必要能力特定処理部８４ｂは、能力テーブル８５ａ及び作業内容別能力テーブル８５ｂを参照して、必要な能力として口頭理解、アイデア創出、及び記憶を特定する。また、必要能力特定処理部８４ｂは、作業内容別能力テーブル８５ｂを参照して、能力特定情報に対応した比率情報も特定する。例えば、特定された作業内容情報＝作業Ｘである場合、必要能力特定処理部８４ｂは、比率情報として、口頭理解＝５０％、アイデア創出＝４０％、及び記憶＝１０％を特定する。
【００５７】
必要環境特定処理部８４ｃは、ステップＳＡ２にて特定された能力特定情報に基づいて、作業者の能力を発揮するための環境情報を特定する必要環境特定処理を行う（ＳＡ３）。例えば、必要環境特定処理部８４ｃは、能力別環境テーブル８５ｃを参照して、口頭理解に対応する環境情報として温度＝２２℃及び照度＝８００Ｌｘ、アイデア創出に対応する環境情報として温度＝２１℃及び照度＝８５０Ｌｘ、記憶に対応する環境情報として温度＝１９℃及び照度＝７００Ｌｘを特定する。
【００５８】
また、必要環境特定処理部８４ｃは、上述した処理で特定された環境情報、及びステップＳＡ２にて特定された比率情報から、当該比率情報に基づく重み付けを行うことにより、環境情報を修正する。例えば、比率情報をｍ、特定された環境情報をｘとすると、修正後の環境情報Ｚは、式（１）の加重平均にて表わされる。
【００５９】
【数１】
2011102683.tif 000003
【００６０】
具体的には、必要環境特定処理部８４ｃは、作業Ｘに対応する情報として、比率情報が口頭理解＝５０％、アイデア創出＝４０％、及び記憶＝１０％であり、環境情報のうちの温度が口頭理解＝２２℃、アイデア創出＝２１℃、及び記憶＝１９℃である場合、修正後の温度は２１℃を算定する。これと同様に、作業Ｘに対応する情報として、環境情報のうちの照度が口頭理解＝８００Ｌｘ、アイデア創出＝８５０Ｌｘ、及び記憶＝７００Ｌｘである場合、修正後の照度は８１０Ｌｘを算定する。
【００６１】
次いで、環境制御処理部８４ｄは、必要環境特定処理部８４ｃにて特定された環境情報に基づいて、作業室内に設けた照明装置６及び空調装置７を制御することにより、当該作業室内における作業環境を制御する環境制御処理を行う（ＳＡ４）。例えば、環境制御処理部８４ｄは、ステップＳＡ３にて特定された環境情報（上述の例では、温度＝２１℃、照度＝８１０Ｌｘ）に合致する温度及び照度となるように、照明装置６及び空調装置７を制御する。
【００６２】
続いて、環境変更処理部８４ｅは、作業者の生理情報に基づいて作業環境を変更するための環境変更処理を行う（ＳＡ５）。
【００６３】
ここで、環境変更処理部８４ｅが実行する生理情報に基づく環境変更処理について説明する。図１１は、生理情報に基づく環境変更処理のフローチャートである。まず、環境変更処理部８４ｅは、ステップＳＡ２にて特定された能力特定情報に基づいて、能力別基準生理テーブル８５ｅを参照して基準生理情報を特定する（ＳＣ１）。例えば、環境変更処理部８４ｅは、能力別基準生理テーブル８５ｅを参照して、口頭理解に対応する基準生理情報として体温＝３６．１℃及び心拍数＝６７回／分、アイデア創出に対応する基準生理情報として体温＝３６．７℃及び心拍数＝７５回／分、記憶に対応する基準生理情報として体温＝３５．９℃及び心拍数＝６０回／分を特定する。
【００６４】
また、環境変更処理部８４ｅは、上述の処理にて特定された基準生理情報、及びステップＳＡ２にて特定された比率情報から、当該比率情報に基づく重み付けを行うことにより、基準生理情報を修正する。例えば、比率情報をｍ、特定された基準生理情報をｘとすると、修正後の基準生理情報Ｚは、上述した式（１）の加重平均にて表わされる。
【００６５】
具体的には、作業Ｘに対応する基準生理情報において、比率情報が口頭理解＝５０％、アイデア創出＝４０％、及び記憶＝１０％であり、基準生理情報のうちの体温が口頭理解＝３６．１℃、アイデア創出＝３６．７℃、及び記憶＝３５．９℃である場合、修正後の体温は３６．３℃を算定する。これと同様に、基準生理情報のうちの心拍数が口頭理解＝６７、アイデア創出＝７５、及び記憶＝６０である場合、修正後の心拍数を７０回／分と算定する。
【００６６】
次いで、環境変更処理部８４ｅは、上述した処理にて特定された基準生理情報と、センサ２にて取得された生理情報とを比較し、両者の差が基準生理情報を中心とする安定値以内であるか否かを判定する（ＳＣ２）。例えば、安定値が±０．５℃と設定されている場合に、環境変更処理部８４ｅは生理情報の体温が３７．３℃とすると、基準生理情報の体温が３６．３℃よりも１．０℃高いため、安定値以上と判定する。
【００６７】
両者の差が安定値以上と判定された場合には（ＳＣ２、Ｎｏ）、環境変更処理部８４ｅは、両者の差が基準生理情報を中心とする安定値以内となるように、照明装置６及び空調装置７にて作業室内の環境変更処理を行う（ＳＣ３）。例えば、環境変更処理部８４ｅは、空調装置７にて基準生理情報の体温に基づいて作業者の体温を調整し、照明装置６にて基準生理情報の心拍数に基づいて作業者の心拍数を調整するように、当該照明装置６及び当該空調装置７を制御する。具体的には、作業者の心拍数が基準生理情報の心拍数よりも高い場合には、環境変更処理部８４ｅは、照明装置６にて作業室内の照度を所定時間毎に所定値ずつ下げるように（例えば１０分毎に５０Ｌｘずつ下げるように）制御する。また、作業者の体温が基準生理情報の体温よりも高い場合には、環境変更処理部８４ｅは、空調装置７にて作業室内の温度を所定時間毎に所定値ずつ下げるように（例えば１０分毎に１℃ずつ下げるように）制御する。
【００６８】
また、環境変更処理部８４ｅは、作業者に対して生理情報が最適値でないことを知らせるために、スピーカ４又は端末装置５にて警告を出力させる（ＳＣ４）。
【００６９】
一方、ステップＳＣ２にて両者の差が安定値以内であると判定された場合（ＳＣ２、Ｙｅｓ）、又はステップＳＣ４の警告出力後、図９の処理に戻る。
【００７０】
次いで、環境変更処理部８４ｅは、作業者の時間情報に基づいて作業環境を変更するための環境変更処理を行う（ＳＡ６）。
【００７１】
ここで、環境変更処理部８４ｅが実行する時間情報に基づく環境変更処理について説明する。図１２は時間情報に基づく環境変更処理のフローチャートである。まず、環境変更処理部８４ｅは、ステップＳＡ２にて特定された能力特定情報に基づいて、能力別基準時間テーブル８５ｄを参照して基準時間情報を特定する（ＳＤ１）。例えば、環境変更処理部８４ｅは、能力別基準時間テーブル８５ｄを参照して、口頭理解に対応する基準時間＝１．０時間、アイデア創出に対応する基準時間＝０．６時間、記憶に対応する基準時間＝１．３時間を特定する。
【００７２】
また、環境変更処理部８４ｅは、上述した処理にて特定された基準時間情報、及びステップＳＡ２にて特定された比率情報から、当該比率情報に基づく重み付けを行うことにより、基準時間情報を修正する。例えば、比率情報をｍ、特定された基準時間情報をｘとすると、修正後の基準時間情報Ｚは、上述の式（１）の加重平均にて表わされる。
【００７３】
具体的には、作業Ｘに対応する基準時間情報において、比率情報が口頭理解＝５０％、アイデア創出＝４０％、及び記憶＝１０％であり、基準時間情報の基準時間が口頭理解＝１．０時間、アイデア創出＝０．６時間、及び記憶＝１．３時間である場合、修正後の基準時間＝０．９時間を算定する。
【００７４】
次いで、環境変更処理部８４ｅは、作業室に入室してからの作業継続時間がステップＳＤ１にて特定された基準時間情報を経過したか否かを判定する（ＳＤ２）。例えば、作業Ｘにおいて、作業継続時間が１．２時間であった場合には、基準時間とする０．９時間を経過したと判定される。このように作業継続時間が基準時間を経過したと判定された場合（ＳＤ２、Ｙｅｓ）、環境変更処理部８４ｅは、作業者に対して作業内容の変更を促すために、スピーカ４又は端末装置５にてガイド情報を出力させる（ＳＤ３）。このガイド情報により、作業内容の変更を促された作業者は、この変更に同意する場合には、端末装置５を介して作業変更の指示信号をサーバ８に送信する。
【００７５】
ステップＳＤ３の処理から所定時間が経過した後（ＳＤ４、Ｙｅｓ）、環境変更処理部８４ｅは、作業者から作業室内に設けられた端末装置５にて作業変更の指示信号を受信したか否かを判定する（ＳＤ５）。ここで、作業変更の指示信号を受信したと判定された場合には（ＳＤ５、Ｙｅｓ）、環境変更処理部８４ｅは、作業順序テーブル８５ｆを参照して、現在の作業内容情報に対する次順の作業内容情報を特定する（ＳＤ６）。例えば、環境変更処理部８４ｅは、作業Ｘの順位は３番目であることから、次順の作業内容は４番目である作業Ｙを特定する。その後、環境変更処理部８４ｅは、作業者に対して当該特定した次順の作業内容情報を知らせるために、スピーカ４又は端末装置５にてガイド情報を出力させて（ＳＤ７）、ステップＳＡ２の直前に戻る。ただし、ＳＡ１において作業者が自ら作業内容を入力した場合のように、作業者が次の作業内容を把握している場合には、ＳＤ６及びＳＤ７の処理は省略してもよい。
【００７６】
一方、作業変更の指示信号を受信していないと判定された場合には（ＳＤ５、Ｎｏ）、環境変更処理部８４ｅは、作業者が現在の作業を継続する上での効率性を維持又は向上させるため、作業者に対して適度な刺激を与えるべく、照明装置６及び空調装置７にて作業室内の環境変更処理を行う（ＳＤ８）。この環境変更処理の制御方法は任意であり、例えば、環境変更処理部８４ｅは、照度を所定範囲（例えば±５０Ｌｘの範囲）で所定時間（例えば１分間）だけ変化させたり、あるいは温度を所定範囲（例えば±２℃の範囲）で所定時間（例えば１分間）だけ変化させるように、照明装置６及び空調装置７を制御する。その後、環境変更処理部８４ｅは、次の作業継続時間の計測に備えて今までカウントしてきた作業継続時間をリセットして（ＳＤ９）、ステップＳＡ５に戻る。
【００７７】
なお、ステップＳＤ２にて作業継続時間が基準時間を経過していないと判定された場合には（ＳＤ２、Ｎｏ）、環境変更処理部８４ｅは、図９の処理に戻る。
【００７８】
次に、制御部８４は、作業者の現在の作業が終了したか否かを判定する（ＳＡ７）。この判定は、例えば、現在の作業が終了した場合には、作業者が端末装置５を介して作業終了信号をサーバ８に送信することとしておき、サーバ８は当該作業終了信号を受信したか否かに基づいて判定を行うことができる。ここで、現在の作業が終了していないと判定された場合には（ＳＡ７、Ｎｏ）、ＳＡ５に戻る。一方、現在の作業が終了したと判定された場合には（ＳＡ７、Ｙｅｓ）、制御部８４は、ＳＡ１で特定した作業内容及び作業順序を参照し、作業者の全ての作業が終了したか否かを判定する（ＳＡ８）。ここで、全ての作業が終了していないと判定された場合には（ＳＡ８、Ｎｏ）、ＳＡ１で特定した作業内容及び作業順序を参照して次の作業内容を特定し、ＳＡ２に戻って当該次の作業内容を実行するための必要な能力の特定を行い、以降、ＳＡ３からＳＡ８を同様に繰り返す。一方、全ての作業が終了したと判定された場合には（ＳＡ８、Ｙｅｓ）、全ての処理が終了する。
【００７９】
（効果）
このように本実施の形態によれば、環境制御処理部８４ｄが、作業内容を実行するために必要な能力を発揮するための作業環境を特定する環境情報に基づいて、作業領域に対応して設けた照明装置６及び空調装置７を制御することにより、作業領域における作業環境を制御するので、作業内容に必要な能力に基づいて決定された作業環境を構築することができ、作業効率を維持・向上させることができる。
【００８０】
また、環境制御処理部８４ｄが必要環境特定処理部８４ｃにて加重平均された修正後の環境情報に基づいて作業環境を制御するので、複数の能力を要する作業内容であっても、複数の能力に対応する複数の環境情報に基づく作業環境を構築することができる。
【００８１】
また、作業変更処理部８４ｅが作業者の作業内容又は作業環境の変更の必要があると判定した場合には、作業内容又は作業環境を変更する処理を行うので、作業環境を自動的に変動することができ、作業内容に必要な能力に基づいて決定された作業環境を継続的に維持できる。
【００８２】
また、作業変更処理部８４ｅが加重平均された基準時間と作業者の作業継続時間とを比較することにより、作業者の作業内容又は作業環境の変更の要否を判定するので、複数の能力を要する作業内容であっても、複数の能力を反映した基準時間に基づいて作業変更の要否を判定することができる。
【００８３】
また、作業変更処理部８４ｅが加重平均された基準生理情報と所定方法で取得された作業者の生理情報とを比較することにより、作業者の作業内容又は作業環境の変更の要否を判定するので、複数の能力を要する作業内容であっても、複数の能力を反映した基準生理情報に基づいて作業変更の要否を判定することができる。
【００８４】
また、作業変更処理部８４ｅが作業内容の変更が必要であると判定した場合に、作業順序テーブル８５ｆに格納された作業順序情報から次順の作業内容を特定するので、作業者に対して最適な作業変更を自動的に指示することができる。
【００８５】
また、作業変更処理部８４ｅにて作業変更が実行された場合でも、環境制御処理部８４ｄが必要環境特定処理部８４ｃにて取得された次順の作業環境に基づいて、作業領域に対応して設けた照明装置６及び空調装置７を制御することにより、作業領域における作業環境を制御するので、作業内容が変更した場合でも、作業内容に必要な能力に基づいて決定された作業環境を維持することができる。
【００８６】
〔III〕本実施の形態に対する変形例
以上、本発明に係る本実施の形態について説明したが、本発明の具体的な構成及び手段は、特許請求の範囲に記載した各発明の技術的思想の範囲内において、任意に改変及び改良することができる。以下、このような変形例について説明する。
【００８７】
（解決しようとする課題や発明の効果について）
また、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８８】
（複数の作業者が作業を行う場合の制御について）
本実施の形態では、１つの作業室で一人の作業者が作業を行う場合について説明したが、１つの作業室で複数の作業者が作業を行う場合についても、同様に環境制御を行うことができる。例えば、照明装置６や空調装置７を各作業者毎に個別制御できる場合には、各作業者毎に、上述した環境制御を行うことができる。また、照明装置６や空調装置７を各作業者毎に個別制御できない場合には、各作業者の作業内容に応じた能力を発揮するための環境情報を上記実施の形態に示した方法により個別的に特定し、これら各作業者毎の環境情報に基づいて、作業空間全体の総合的な環境情報を所定方法にて算定した上で、この総合的な環境情報に基づいて環境制御を行ってもよい。例えば、総合的な環境情報の算定方法としては、各作業者毎の温度が特定された場合に、この温度の平均値を算定して総合的な環境情報とすることが考えられる。
【符号の説明】
【００８９】
１  作業環境制御システム
２  センサ
３  受信機
４  スピーカ
５  端末装置
６  照明装置
７  空調装置
８  サーバ
８１  入出力ＩＦ
８２  入力部
８３  出力部
８４  制御部
８４ａ  作業内容特定処理部
８４ｂ  必要能力特定処理部
８４ｃ  必要環境特定処理部
８４ｄ  環境制御処理部
８４ｅ  環境変更処理部
８５  記憶部
８５ａ  能力テーブル
８５ｂ  作業内容別能力テーブル
８５ｃ  能力別環境テーブル
８５ｄ  能力別基準時間テーブル
８５ｅ  能力別基準生理テーブル
８５ｆ  作業順序テーブル
【図１】
2011102683.tif 000004
【図２】
2011102683.tif 000005
【図３】
2011102683.tif 000006
【図４】
2011102683.tif 000007
【図５】
2011102683.tif 000008
【図６】
2011102683.tif 000009
【図７】
2011102683.tif 000010
【図８】
2011102683.tif 000011
【図９】
2011102683.tif 000012
【図１０】
2011102683.tif 000013
【図１１】
2011102683.tif 000014
【図１２】
2011102683.tif 000015